(57)【特許請求の範囲】
【請求項１】
ケーブルダクト蓋の開閉または間仕切り及びパーティーションなどの開閉又は嵌合接続するための嵌合係止体の一方側に端面略コの字状の凹状係止体と、他方側に先端部が膨出する形状の突状係止体をそれぞれ形成した一組の該嵌合係止体に於いて、該凹状係止体は、嵌合係止部と、抜止め係止部と、嵌合係止誘導部と、該開口先端の誘導口部を略コの字状の最奥端からそれぞれ形成し、該抜止め係止部は、略コの字状の所定位置でそれぞれが対向するよう突出させてその間が狭窄するように形成され、また該嵌合係止部及び抜止め係止部を、該誘導口部及び嵌合係止誘導部より変形が小さくなるように形成すると共に該誘導口部から抜止め係止部までの嵌合係止誘導部の所定空間の奥行きを突状係止体の膨出形状の最大幅部分が入り込む程度以上とし、
他方、突状係止体は、上記膨出形状で、その先端部が該誘導口部に挿入容易なように、突状挿入部を略先端先細状に形成すると共に該突状挿入部の基部側を上記抜止め係止部と係止対応するように、段付状の抜止め係止部を形成して上記膨出形状とし、上記嵌合係止部の抜止め係止部が突状係止体の抜止め係止部を狭持状に嵌合係止するように形成したことを特徴とするダクトの蓋又は連結具等の嵌合係止を容易にする嵌合係止構造。
【発明の詳細な説明】
【技術分野】
【０００１】  本発明は、ケーブルダクトの蓋の開閉又は間仕切りなどの連結具等を連結接続したとき、嵌合係止が外れないようにする事と、嵌合挿入及び取外しを容易にする嵌合係止構造に関する。
【背景技術】
【０００２】  従来のケーブルダクトで、板状ケーブルダクトにケーブルを収納後、所定形状に閉じる構成を有するものに配線ダクトがある、該配線ダクトは、板状のダクト本体１に被覆電線等のコード・ワイヤー類を挿着配線し、該挿着配線後に蓋を閉じるのに第３雄状突起６ｅと第４雌状突起６ｆの先端の略鈎状同士の係止部で係止することで配線ダクトを閉じ、その板状のダクト本体１を配線ダクトとして形成して使用する提案がなされている。（例えば、特許文献１参照）【０００３】  また、本願出願人が出願した、屈曲可能なケーブルダクトを閉じるための接続係止構造が有り、該ケーブルダクトは、板状のケーブルダクトを閉じて所定形状のケーブルダクトとして形成する時、接続係止が容易にできるとする物で、凹状係止体と突状係止体により開閉可能し、該凹状係止体は、該両先端部の一方に突き当てて係止する当接係止部と、他方に鈎状の先端係止部をそれぞれ形成すると共にその奥側に誘導保持部を形成し、且つケーブルダクトの内側に配置する先端係止部の該先端長さを若干短く形成し、また他方端の突状係止体の基端側の上下双方にそれぞれ基端係止部を形成すると共に先端側に誘導部を形成したものが実施例に開示、提案している。（例えば、特許文献２参照）【０００４】  さらに、本願出願人が出願したパネルなど板状体の連結具が有り、該連結具は、上記屈曲可能なケーブルダクトを閉じるための接続係止構造と略同様の凹状係止体と突状係止体を形成した構成の連結係止体である連結具と、また一般的に知られているキノコ状の突部とその突部に対応した先端手前側に狭窄部を有する凹部により嵌合連結する仮設間仕切り、パーティーションなどの実施例に開示、提案している。（例えば、特許文献３参照）【０００５】  さらに、一般的に知られている嵌合係止構造は、キノコ状の突部とその突部に対応した先端手前側に狭窄部を有する凹部があり、該凹部にキノコ状の突部が嵌り込み、凹部先端側の狭窄部で係止して嵌着される構造の物が多く見られ、また従来使用されているケーブルダクトにおいても、ケーブルダクトの収納部にカバーを嵌着して閉じる構造にも使用され、さらに、かぎ爪状で引掛け係止する物も、多く用いられ良く知られている。【０００６】
【特許文献１】  特開２００１−３７０３９号公報
【特許文献２】  特願２００７−０６５７９６号
【特許文献３】  特願２００７−２３２０５９号
【発明の開示】
【発明が解決しようとする課題】
【０００７】  上述した従来の特許文献１の配線ダクトの接続構造は、第３雄状突起６ｅと第４雌状突起６ｆの先端の略鈎状同士の係止部で係止することで配線ダクトを閉じるとしており、その係止構造において、第３雄状突起６ｅと第４雌状突起６ｆの先端の略鈎状の係止面が互いにフラットな面同士で当接係止され、この面での当接係止は歪み方向によっては、非常に外れやすく、例えば、比較的太いケーブルで曲がり癖がついたものを多く収納すると、そのケーブルが上部の蓋に接触する事があり、その接触で蓋が外れたりし、このような内側からの外す方向の力に弱く、対応が求められていた。【０００８】  またこのような係止構造を持つものは、比較的収納量の少ないケーブルで、配線ダクトの蓋の開け閉めが比較的多い場合に有効であるが、一般的にその様な使用状況が少なく、多少の歪みで蓋が、簡単に開かないものが求められていたが、開きにくいものは、逆に、配線ダクトの蓋を閉めるとき閉めづらく、閉めづらいと配線の収納作業に非常に手間取り効率が悪く、よって閉めやすく且つ蓋が外れにくいと言う、相反する機能の持った係止構造のものが求められていた。【０００９】  また、特許文献２の屈曲可能なケーブルダクトは、凹状係止体の一方に当接係止部と、他方に鈎状の先端係止部をそれぞれ形成すると共にその奥側に誘導保持部をその先端側に形成しているので、ケーブルダクト自体を無理に大きく変形させると奥側の誘導保持部の長さ（誘導保持部の基端から先端までの長さ）により先端側の変形が大きくなり、その先端の当接係止部と先端係止部の変形も大きくなり外れる可能性があり、また他方端の突状係止体の先端側の誘導部が、上記変形により誘導保持部を開く方向にも作用し、さらに上述先端の当接係止部と先端係止部の変形も大きくなると外れる可能性も大きくなり、大きく変形しても容易に外れないと言う改善が求められていた。【００１０】  さらに、特許文献３のパネルなど板状体の連結具は、特許文献２の屈曲可能なケーブルダクトの接続係止構造と略同様で大きく変形させると嵌合係止が外れやすくなると言う問題点があり、例えばケーブルダクトに物又は人が当たり変形し、または間仕切りを組み立てる際に大きく変形させて外れることがあり、ここでも改善が求められていた。【００１１】  加えて、上述した一般的に知られる嵌合係止構造において、一般的に多用されているキノコ状の突部とその突部に対応した凹部による嵌合係止構成のものは、屈曲可能なケーブルダクトに使用しても、容易に外れないが、逆に、そのことにより嵌合させにくく、ケーブルの収納作業とそのケーブルダクトを閉じる作業が煩雑になり、また嵌合させやすくするために該凹部を緩く形成すると、ケーブルの収納量、ケーブルダクトの歪みにより外れやすくなり、使用できなかった。【００１２】  そして、特に、一般的に多く使用されている長手方向に長く連続するケーブルダクトに、配線して蓋を嵌合させて閉じる作業は、上述したような嵌合させにくい嵌合係止構成のもので、ケーブルの収納及び蓋を閉じる作業が煩雑で手間が掛かり、コスト高となり、加えてケーブルを多く収納した状態では、ケーブルが邪魔になり蓋が閉じにくく、さらに嵌合させるのに手間取り、作業効率が悪いため、比較的ゆるく嵌合できるものが多く市販され、よって蓋が外れて脱落していた事もあり、蓋を閉めやすく、且つ外れにくいと言う、相反する効果のものが求められていた。
【課題を解決するための手段】
【００１３】  本発明は、上記課題を有効に達成するための解決手段として、嵌合係止体の一方側に端面略コの字状の凹状係止体と、他方側に先端部が膨出する形状の突状係止体を形成し、該凹状係止体は、嵌合係止部と、抜止め係止部と、嵌合係止誘導部と、該開口先端の誘導口部を、略コの字状の最奥端からそれぞれ形成し、該抜止め係止部は、略コの字状の所定位置でそれぞれが対向するよう突出させてその間が狭窄するように形成すると共に該嵌合係止部及び抜止め係止部を、該誘導口部及び嵌合係止誘導部より変形が小さくなるように形成し、また突状係止体は、突状挿入部を略先端先細状に形成すると共に該突状挿入部の基部側を段付状の抜止め係止部を形成して上記膨出形状とし、上記嵌合係止部の抜止め係止部が突状係止体の抜止め係止部を狭持状に嵌合係止するように形成しているので、
板状のケーブルダクトを閉じて所定形状のケーブルダクトとするとき、又はケーブルダクト蓋の開閉及び展開するとき、又は間仕切りまたはパーティーションなどの連結接続など嵌合係止を誘導し、また嵌合係止で外れにくく、外す必要のとき、逆に外れやすく作用することとしている。
【発明の効果】
【００１４】  本発明は、上述した手段によって有効な効果が得られるようにしたもので、特に、ケーブルダクト蓋の開閉または間仕切り及びパーティーションなどの開閉又は嵌合接続するための嵌合係止体の一方側に端面略コの字状の凹状係止体と、他方側に先端部が膨出する形状の突状係止体をそれぞれ形成した一組の該嵌合係止体に於いて、該凹状係止体は、嵌合係止部と、抜止め係止部と、嵌合係止誘導部と、該開口先端の誘導口部を略コの字状の最奥端からそれぞれ形成し、該抜止め係止部は、略コの字状の所定位置でそれぞれが対向するよう突出させてその間が狭窄するように形成され、また該嵌合係止部及び抜止め係止部を、該誘導口部及び嵌合係止誘導部より変形が小さくなるように形成し、他方、突状係止体は、上記膨出形状で、その先端部が該誘導口部に挿入容易なように、突状挿入部を略先端先細状に形成すると共に該突状挿入部の基部側を上記抜止め係止部と係止対応するように、段付状の抜止め係止部を形成して上記膨出形状とし、上記嵌合係止部の抜止め係止部が突状係止体の抜止め係止部を狭持状に嵌合係止するように形成しているので、
使用に於いて、ケーブルダクトにケーブルを収納して閉じる時、又は間仕切りまたはパーティーションなどの連結接続する時など、凹状係止体と突状係止体を嵌合係止するとき、凹状係止体の誘導口部及び嵌合係止誘導部が軟質又は薄肉又は口広であることから、突状係止体が誘導口部から嵌合係止誘導部に容易に挿入、仮保持ができる。【００１５】  そして、上述の嵌合係止誘導部の中で突状係止体が規制された仮保持状態から、嵌合係止部に完全に嵌合保持させるとき、嵌合係止誘導部の中で突状係止体が規制された仮保持状態からさらに奥へ挿入するときに挿入ずれを起こすことなく嵌合係止部に容易に挿入嵌合ができ、そして突状係止体を抜止め係止部からその奥の嵌合係止部に挿入嵌合係止させると、該抜止め係止部が突状係止体の抜止め係止部を狭持状に嵌合係止するので、嵌合係止体の本体側であるケーブルダクト又は間仕切り及びパーティーションなどに変形があっても容易に外れることが無く、よって不完全な状態でも閉じる作業が容易で且つ簡単にでき、作業効率の向上が図れ、作業コストの低減によりコストダウンとなる。【００１６】  さらに、凹状係止体から突状係止体を外すとき、誘導口部及び嵌合係止誘導部が軟質又は薄肉又は口広であることから、該誘導口部を嵌合係止誘導部と共に大きく捲るように大きく変形させて開くことができ、その極端に捲るように変形させることによって抜止め係止部も開き、嵌合係止部から突状係止体が外れやすくなり、突状係止体を少しの力で引き抜くことができ、しかし一般的な使用状況での変形は、上述のように捲るように開くことが無いので外れにくく、これらのことから挿入嵌合しやすく、またその逆に外れにくい、さらに外す必要があるときは、意志を持って変形させることにより容易に外せるとい言う、相反する効果を得ることができる。
よって、これらのことから本発明は、実用上著大な効果を奏する。
【発明を実施するための最良の形態】
【実施例】
【００１７】  本発明の実施例を図面に基づいて説明すると、図１及び図２において、１はケーブルダクトで、該ケーブルダクト１は、端面略四角形状に折り曲げ形成した長手方向に連続する中空体で、該四角形状のケーブルダクト下面部１ａ中央に嵌合係止体２を設け、またその左右にケーブルダクト側面部１ｂ、１ｃと、その上部側にケーブルダクト上面部１ｄをそれぞれ形成している。【００１８】  そして、長手方向に連続する該ケーブルダクト１に、ケーブルダクト側面部１ｂ、１ｃの下部近傍に穴部３、３を開設すると共に該穴部３、３を終端とする両側面からケーブルダクト上面部１ｄに至る間にスリット４を形成し、上記穴部３、３とスリット４を一組として、所定間隔を持って連続形成することで、屈曲可能なケーブルダクト１としている。【００１９】  また、該嵌合係止体２は、図２に示すように、略中央で開閉するケーブルダクト下面部１ａ、１ａの両端縁部に一組の嵌合係止体２が形成され、その一方の端縁側に凹状係止体５と他方の端縁側に突状係止体６をそれぞれ形成して、該嵌合係止体２としている。【００２０】  そしてその凹状係止体５は、凹状の両先端を挿入口として該挿入部分が略受け口状になるように上下の長さを変えて形成して誘導口部７とし、また誘導口部７から続くその奥側に嵌合係止誘導部８を形成すると共に該嵌合係止誘導部８から続くその奥側に抜止め係止部９、９をそれぞれ対向するよう突出させてその間が狭窄するように形成し、さらにその奥側に嵌合係止部１０を形成し、そして上記誘導口部７の挿入部分が略受け口状となる形状は、凹状係止体５と突状係止体６を嵌合係止させるとき、ケーブルダクト上面部１ｄの略中央部がヒンジの中心となるように凹状係止体５と突状係止体６が開閉し、そのとき図３に示すケーブルダクト１の内側を若干短く、略受け口状に形成されていることで、その上述ヒンジの回動方向に沿って突状係止体６が略受け口状の誘導口部７に挿入されやすく、よって最初の挿入が容易に誘導される。【００２１】  また、他方の突状係止体６は、該突状係止体６の先端縁部が上記誘導口部７に挿入容易となるように、突状挿入部１１を略先端先細状に形成すると共に該突状挿入部１１の基部側を上記抜止め係止部９、９の突出する狭窄部分と係止対応するように段付状の抜止め係止部１２を形成して上記嵌合係止部１０に該突状係止体６が嵌合状態で係止されるように形成されている。【００２２】  しかして、図３に示す上記形状のケーブルダクト１の押出成形において、該ケーブルダクト１は、押出成型機により押出成形された状態の端面形状を表し、嵌合係止体２が分離した若干開いた状態の板状体の略台形状で押出成形される。【００２３】  なお、ここで押出成形するケーブルダクト１の材質に関して、変形回復力を有する軟質又は硬質のオレフィン系樹脂（ＰＰ、ＰＥ）のマトリックスにオレフィン系ゴム（ＥＰＲ、ＥＰＤＭ）を微分散させた熱可塑性エラストマーで、この熱可塑性エラストマーは、弾性変形による回復性と、所定硬度で柔軟性の特性を考慮して選ばれる。【００２４】  そして、屈曲可能なケーブルダクトとする場合は、図４に示すように、ケーブルダクト下面部１ａ、１ａを屈曲開脚させ、ケーブルダクト上面��１ｄとケーブルダクト側面部１ｂ、１ｃと共に略平面状態に保持し、その状態で、図５に示すように穴部３、３とスリット４を一組として、プレス加工機などで穴の開設及びスリットを形成すると共に同様のパターンを長手方向に所定間隔を持って形成し、または押出成形された略台形状のケーブルダクト１を、上述のようにプレス加工機などで穴の開設及びスリットを形成せず、ケーブルダクト１を押出成形されたそのままの状態の直線状ケーブルダクトとしての使用と、それぞれ用途により選ばれ使用する。
なお、図中１３は、端面略四角形状に折り曲げた中空体に形成するための折り曲げ用のＶ溝で、該Ｖ溝１３から折り曲げて端面略四角形状の中空体として形成する。【００２５】  しかして、該ケーブルダクト１にケーブル１４を配線収納するとき、図６に示すように、ケーブルダクト１を天地逆転させた状態で、嵌合係止体２を大きく開いてケーブル１４を収納し、次にケーブルダクト上面部１ｄの略中央からヒンジ状に回動させるように嵌合係止体２の凹状係止体５と突状係止体６を略受け口状の誘導口部７に突合し、その状態から誘導口部７の略受け口状に沿って左右の対面方向（図中の矢印Ａ、Ａ方向）から突状挿入部１１を挿入すると共にさらにその奥の嵌合係止誘導部８まで挿入して、接続嵌合状態で該ケーブルダクト１を仮閉じ状態とする。【００２６】  そして、次に上述した嵌合係止体２の仮閉じの接続嵌合状態からケーブルダクト側面部１ｂ、１ｃの左右（図中の矢印Ａ、Ａ方向）の対面方向から力を加えることで、突状係止体６が抜止め係止部９、９を押し広げるようにして嵌合係止部１０に嵌入されて嵌合保持されると共に抜止め係止部９、９で狭持状に嵌合係止され、そしてその状態で嵌合係止体２が長手方向に連続しているので、一部嵌合保持させそのままそれに倣って力を加えると、嵌合係止誘導部８の仮保持から嵌合係止部１０へ次々と嵌合係止されて行き、ケーブルの量が多い時、又は曲がり癖が付いたケーブルの配線も、そのケーブルに邪魔されることなく仮閉じ状態から嵌合係止状態へと容易に閉じられ、配線作業が容易となる。【００２７】  また、その嵌合係止体２の係止状態は、凹状係止体５の嵌合係止誘導部８を肉薄又は軟質材で形成しているため変形が大きく挿入しやすく、またその奥部の抜止め係止部９、９及び嵌合係止部１０を厚肉又は硬質材で形成することで変形が小さく、嵌合すると容易に外れず、これは先端側の嵌合係止誘導部８の変形が大きいため、抜止め係止部９、９及び嵌合係止部１０側に変形がおよびにくく、つまり先端側の嵌合係止誘導部８と嵌合係止部１０側が同じ変形率であると、先端側の嵌合係止誘導部８に変形が加わるとそのまま嵌合係止部１０側の奥端から開くように変形し、そのことにより抜止め係止部９、９が開くことで外れやすくなり、このことから変形率を変え、また必要に応じて外すときは、その変形を利用して、肉薄又は軟質材の嵌合係止誘導部８の先端の誘導口部７から大きく捲るように開くことで、嵌合係止誘導部８が大きく変形して開き、そのことで抜止め係止部９、９も開き、突状係止体６の抜止め係止部１２が抜止め係止部９、９から外れやすくなり、よってその状態から容易に外すことができ、また長手方向に連続しているため次々と一気に外すことができる。【００２８】  そして、配線が終わった屈曲可能なケーブルダクト１を、図７に示すように、該ケーブル１４をケーブルダクト１に収納した状態で、産業用のアームロボットなどの可動機構に装着して屈曲可能に使用する。【００２９】  また、ケーブルダクト側面部１ｂ、１ｃの下部近傍の穴部３、３は、プレスなどでスリット４を形成する時、また屈曲による亀裂の発生を防止するために開設された物で、穴の形状は特にこだわらず、また形成しなくとも直ち��影響が及ぶ事はない。【００３０】  さらに、図８に示すように、凹状係止体５の両先端の誘導口部７の挿入部分を上記実施例のように略受け口状に形成せず両先端同じ長さとし、それは嵌合係止体２の凹状係止体５と突状係止体６が正面同士で対向して直線上で挿入する場合に使用され、その使用例は、従来の溝形のケーブルダクトに蓋を被せるように装着するものが上げられ、それに使用することで蓋を被せるように挿入嵌合させるのが容易となり、上述の効果から収納するケーブルが多くても蓋が、容易に外れないものが提供できる。【００３１】  加えて、図９及び図１０に示す管状ダクト１５としての実施例は、板状又はシート状の板状ダクト体１６の両端縁部の一方の端縁側に凹状係止体５と他方の端縁側に突状係止体６を設けた平板状の状態で、前記実施例のように押出成型にて一体的に形成され、そしてその嵌合係止体２の嵌合状態は、前記実施例と略同様に嵌合係止されて使用し、また板状ダクト体１６を板状からシート状に変更して柔軟に屈曲させられるように使用するものと、また従来技術の導電性を有する材質を板状ダクト体１６に採用することで、ケーブルダクトとして配線収納したケーブルに外部からのノイズが遮断できるケーブルダクトとして、各用途によってそれぞれ選ばれて使用する。【００３２】  なお、板状ダクト体１６を薄いシート状とする場合は、少なくとも凹状係止体５と突状係止体６の近傍を上記実施例の所定厚の板状として形成する事とするが、特に、図示は省略した。【００３３】  しかして、さらに他の実施例は、図１１に示すように間仕切り又はパーティーションなどの連結接続に使用するもので、その間仕切り１７の連結に、該間仕切り１７の端縁部に設けられた側縁部連結体１８、１８の先端にそれぞれ凹状係止体５及び突状係止体６を設け、その凹状係止体５と突状係止体６の連結で、間仕切り１７、１７が連結される。【００３４】  そこで、該間仕切り１７の側縁部連結体１８は、間仕切り又はパーティーションなどに用いられる板状体１９の両側縁部にそれぞれ設けられ、図１１に示すように、一方の側縁部連結体１８の先端に凹状係止体５と、他方の側縁部連結体１８の先端に突状係止体６がそれぞれ形成され、上述実施例と同様に、該凹状係止体５の抜止め係止部９，９が、突状係止体６の段付状の抜止め係止部１２を狭持状に嵌合係止することにより、所要量の該間仕切り１７が凹状係止体５と突状係止体６により各連結され、連結終端に自立用の脚部２０を設けて間仕切り又はパーティーションなどとして使用される。【００３５】  また、側縁部連結体１８は、前述したように本出願人が出願した特願２００７−２３２０５９号の実施例で示すものと略同様の形状の側縁部連結体１８に、本願の凹状係止体５又は突状係止体６をそれぞれ設け、その側縁部連結体１８を板状体１９の両側縁部に設けて連結使用するもので、特に凹状係止体５の嵌合係止部１０を、さらに厚肉又は硬質材で形成することで、間仕切り又はパーティーションなどとして使用するときに大きな力が加わっても、先端側の嵌合係止誘導部８の変形が大きいため、抜止め係止部９、９及び嵌合係止部１０側に変形がおよばず、よって嵌合係止部１０側の変形が小さいことから抜止め��止部９、９が開かず嵌合係止が外れることもなく、また抜止め係止部９，９が抜止め係止部１２を狭持状に嵌合係止することによりさらに嵌合係止が外れず、間仕切り又はパーティーションなど直列で連結、嵌合保持する連結部材として、特に有効に使用できる。【００３６】  なお、板状体１９に設けられた側縁部連結体１８の各連結は、上述した各実施例のものと略同様に嵌合係止で連結接続され、また取外すときも同様にして取外すことで、連結取り外し可能に使用する。
【図面の簡単な説明】
【００３７】
【図１】  本発明の一実施例の要部の斜視図である。
【図２】  本発明の一実施例の要部の嵌合係止体２の嵌合係止状態を示す正面図である。
【図３】  本発明のケーブルダクト１を押出成型した状態を示す正面図である。
【図４】  本発明のケーブルダクト１を展開した状態を示す正面図である。
【図５】  本発明のケーブルダクト１をプレス加工した状態を示す平面図である。
【図６】  本発明のケーブルダクト１を嵌合係止する状態を示す正面図である。
【図７】  本発明の屈曲可能なケーブルダクトとして使用した状態を示す側面図である。
【図８】  本発明のその他の実施例の嵌合係止状態を示す正面図である。
【図９】  本発明のその他の実施例の板状ダクト体１６の正面図である。
【図１０】  本発明のその他の実施例の管状ダクト１５の要部の斜視図である。
【図１１】  本発明のさらにその他の実施例の要部の平面図である。
【符号の説明】
【００３８】  １  ケーブルダクト
２  嵌合係止体
５  凹状係止体
６  突状係止体
７  挿入口部
８  嵌合係止誘導部
９  抜止め係止部
１０  嵌合係止部
１１  突状挿入部
１２  抜止め係止部
１５  管状ダクト
１７  間仕切り
【要約】
【課題】  ケーブルダクト蓋の開閉又は間仕切りなど連結接続の嵌合係止を誘導して挿入しやすく、必要に応じて外しやすく、また嵌合係止で外れにくい嵌合係止構造を得ること。
【解決手段】  嵌合係止体の一方の凹状係止体を、正面端面が略コの字状の誘導口部として形成すると共に該誘導口部から続くその奥側に嵌合係止誘導部と、該嵌合係止誘導部から続くその奥側に抜止め係止部と、さらにその奥側に嵌合係止部を形成すると共に上記該誘導口部の変形巾を大きくして該突状係止体の挿入が容易となるように該誘導口部を軟質又は薄肉又は口広とし、また該嵌合係止部を硬質又は厚肉とすることで変形巾を小さくし、該嵌合係止部から突状係止体が外れにくくなるように形成し、また他方の突状係止体は、該突状係止体の先端端縁部に突状挿入部を略先端先細状に形成すると共に基部側には段付状の抜止め係止部を形成している。
【選択図】図１【図１】
0004352185.tif 000002
【図２】
0004352185.tif 000003
【図３】
0004352185.tif 000004
【図４】
0004352185.tif 000005
【図５】
0004352185.tif 000006
【図６】
0004352185.tif 000007
【図７】
0004352185.tif 000008
【図８】
0004352185.tif 000009
【図９】
0004352185.tif 000010
【図１０】
0004352185.tif 000011
【図１１】
0004352185.tif 000012